(57)【特許請求の範囲】
【請求項１】
開口部と、前記開口部に連続して形成される凹部とを有する筐体と、
前記開口部を覆う閉状態と前記開口部を覆わない開状態とに状態変更可能な蓋部であって、
前記閉状態において前記開口部を覆う板状部と、
前記板状部における前記凹部側に突出すると共に前記凹部の内縁部に対応した環状に形成され、前記凹部に嵌入可能な嵌入突部と、
前記嵌入突部の外周に配置され、前記嵌入突部とともに前記凹部に圧入可能なパッキン部材と、
前記嵌入突部に形成され、前記嵌入突部と前記凹部とにより形成される内部空間と外部空間とを連通させる貫通孔部と、を有する蓋部と、を備え、
前記パッキン部材における全部又は一部は、
前記内部空間と前記外部空間とを連通させないよう前記貫通孔部における前記外部空間側の外側開口を塞ぐ塞位置と、前記内部空間と前記外部空間とを連通させるよう前記貫通孔部における前記外部空間側の外側開口を塞がない非塞位置と、に移動可能に前記嵌入突部の外周に配置されると共に、
前記蓋部が前記閉状態において、前記塞位置に位置する
電子機器。
【請求項２】
前記パッキン部材における全部又は一部は、
前記蓋部が前記開状態において、前記非塞位置に位置する
請求項１に記載の電子機器。
【発明の詳細な説明】
【技術分野】
【０００１】
本発明は電子機器に関するものであり、特に、防水性を有する電子機器に関するものである。
【背景技術】
【０００２】
携帯電話機、ディジタルカメラ等の電子機器のなかには、特定の使用環境を想定して開発されたものがある。例えば、雨が降っている時や水際で使用されることを想定して開発された電子機器が存在する。このような電子機器は、多少水に濡れたり、浸かったりしても故障等が生じないように防水機能が備わっている。
【０００３】
この防水機能を備える電子機器は、通常、水が筐体内に浸入することを防ぐために筐体における気密性が高くなるように構成されている。その結果、カバー部材を取り付ける等して筐体を密閉するときに筐体内の圧力が高くなる場合がある。このような圧力変動は、筐体の変形や電子部品の破損を招くおそれがある。
【０００４】
このような問題を解決するために、電子機器の筐体内における圧力を調整できるように、筐体に防水性を有する通気孔を設けた電子機器が提案されている（例えば、特許文献１参照）。
【先行技術文献】
【特許文献】
【０００５】
【特許文献１】特開平０５−３２０２５５号公報
【発明の概要】
【発明が解決しようとする課題】
【０００６】
しかし、特許文献１の電子機器は、筐体を密閉した後に通気孔から徐々に空気を抜いて筐体内の圧力を調整するため、筐体を密閉した直後は筐体内の圧力が高くなる。
そのため、特許文献１の電子機器において、密閉した直後、筐体が変形する場合があった。また、特許文献１の電子機器において、筐体内部に内蔵された電子部品が高い圧力で圧迫されているため、例えばスピーカから音を出すときにビビリが生じる等、当該電子部品に破損や劣化が生じる場合があった。
【０００７】
本発明は、筐体内の圧力が高くなることによる筐体の変形や、内蔵された電子部品の破損や劣化を抑制できる電子機器を提供することを目的とする。
【課題を解決するための手段】
【０００８】
本発明は、開口部と、前記開口部に連続して形成される凹部とを有する筐体と、前記開口部を覆う閉状態と前記開口部を覆わない開状態とに状態変更可能な蓋部であって、前記閉状態において前記開口部を覆う板状部と、前記板状部における前記凹部側に突出すると共に前記凹部の内縁部に対応した環状に形成され、前記凹部に嵌入可能な嵌入突部と、前記嵌入突部の外周に配置され、前記嵌入突部とともに前記凹部に圧入可能なパッキン部材と、前記嵌入突部に形成され、前記嵌入突部と前記凹部とにより形成される内部空間と外部空間とを連通させる貫通孔部と、を有する蓋部と、を備える電子機器に関する。
【０００９】
また、前記パッキン部材における全部又は一部は、前記内部空間と前記外部空間とを連通させないよう前記貫通孔部における前記外部空間側の外側開口を塞ぐ塞位置と、前記内部空間と前記外部空間とを連通させるよう前記貫通孔部における前記外部空間側の外側開口を塞がない非塞位置と、に移動可能に前記嵌入突部の外周に配置されると共に、前記蓋部が前記閉状態において、前記塞位置に位置することが好ましい。
【００１０】
また、前記パッキン部材における全部又は一部は、前記蓋部が前記開状態において、前記非塞位置に位置することが好ましい。
【００１１】
また、前記蓋部は、所定方向における一端側を回動軸として回動移動することで、前記開状態と前記閉状態とに状態変更されることが好ましい。
【００１２】
また、前記貫通孔部は、前記所定方向における他端側に形成されることが好ましい。
【００１３】
また、前記嵌入突部は、前記凹部側に形成される第１部と、前記板状部側に形成され前記第１部よりも外周の長さが長い第２部と、を有し、前記貫通孔部は、前記第２部に形成されることが好ましい。
【００１４】
また、前記第２部は、前記凹部側に向かうにしたがって外周の長さが狭くなるように傾斜する傾斜外周面を有し、前記貫通孔部における前記外部空間側の外側開口は、前記傾斜外周面に形成されることが好ましい。
【００１５】
また、前記凹部における内縁部は、前記蓋部が前記閉状態において、前記パッキン部材を前記塞位置に位置決めすることが好ましい。
【発明の効果】
【００１６】
本発明によれば、筐体内の圧力が高くなることによる筐体の変形や、内蔵された電子部品の破損や劣化を抑制できる電子機器を提供することができる。
【図面の簡単な説明】
【００１７】
【図１】携帯電話機１を開いた状態における外観斜視図である。
【図２】操作部側筐体２を構成する部材を説明する分解斜視図である。
【図３】表示部側筐体３を構成する部材を説明する分解斜視図である。
【図４】防水構造を説明する断面図である。
【図５】防水構造を説明する断面図である。
【図６】バッテリーカバー２ｃの部分拡大図である。
【図７】防水構造を説明する部分断面図である。
【図８】防水構造を説明する部分断面図である。
【図９】操作部側筐体２にバッテリーカバー２ｃを取り付ける手順を説明する図である。
【図１０】操作部側筐体２にバッテリーカバー２ｃを取り付ける手順を説明する図である。
【図１１】操作部側筐体２にバッテリーカバー２ｃを取り付ける手順を説明する図である。
【図１２】操作部側筐体２にバッテリーカバー２ｃを取り付ける手順を説明する図である。
【発明を実施するための形態】
【００１８】
以下、図面を参照して本発明を実施するための最良の形態を説明する。
図１により、電子機器としての携帯電話機１における基本構造を説明する。図１は、携帯電話機１を開いた状態における外観斜視図を示す。
【００１９】
図１に示すように、携帯電話機１は、操作部側筐体２（筐体）と、表示部側筐体３と、を備える。また、携帯電話機１は、操作部側筐体２と表示部側筐体３とを開閉可能に連結する連結部４を備える。
携帯電話機１は、開状態と閉状態とに状態変化（変形）可能に構成される。ここで、閉状態とは、操作部側筐体２と表示部側筐体３とが互いに重なるように配置された状態であり、詳細には、両筐体における所定の面同士が対向するように配置された状態である。本実施形態においては、操作部側筐体２における操作部側内面２Ａと、表示部側筐体３における表示部側内面３Ａとが互いに対向するように配置された状態である。また、開状態とは、操作部側筐体２と表示部側筐体３とが互いに重ならないように配置された状態であり、詳細には、両筐体における所定の面同士が対向せずに離間して配置された状態である。本実施形態においては、操作部側筐体２における操作部側内面２Ａと、表示部側筐体３における表示部側内面３Ａとが互いに対向せずに離間して配置された状態である。
【００２０】
操作部側筐体２は、操作部側内面２Ａと、操作部側外面２Ｂとを有する。操作部側内面２Ａは、携帯電話機１が閉状態において表示部側筐体３の表示部側内面３Ａと対向して配置される面である。
操作部側筐体２は、外面（外郭）がフロントケース２ａと、リアケース２ｂと、バッテリーカバー２ｃ（蓋部）とにより構成される。
操作部側筐体２には、操作キー群１１と、使用者が通話時に発した音声が入力される音声入力部１２と、主電源操作部１９とがそれぞれ外部に露出して配置される。本実施形態において、操作キー群１１（サイドキー１６除く）と、音声入力部１２と、主電源操作部１９とは、操作部側筐体２における操作部側内面２Ａに並んで配置される。
【００２１】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５と、サイドキー１６とを含んで構成される。操作キー群１１を構成する各キーそれぞれには、携帯電話機１における開閉状態、各種モードや起動されているアプリケーションの種類等に応じて、それぞれ所定の機能が割り当てられる（キー・アサイン）。そして、使用者により各キーが押圧されることにより、押圧時において各キーに割り当てられている機能に応じた動作が携帯電話機１において実行される。
【００２２】
音声入力部１２は、操作部側筐体２の長手方向における連結部４側と反対の外端部側に配置される。つまり、音声入力部１２は、携帯電話機１が開状態において一方の外端部側に配置される。
【００２３】
操作部側筐体２における一方側の側面には、外部機器（例えば、ホスト装置）と通信を行うためのインターフェース（図示せず）と、外部メモリの挿入及び取り出しが行われるインターフェース（図示せず）とが配置される。各インターフェースは、不使用時にはキャップにより覆われる。操作部側筐体２における他方側の側面には、所定の機能が割り当てられたサイドキー１６が配置される。
【００２４】
表示部側筐体３は、表示部側内面３Ａと、表示部側外面３Ｂとを有する。表示部側内面３Ａは、携帯電話機１が閉状態において操作部側筐体２の操作部側内面２Ａと対向して配置される面である。
表示部側筐体３は、外面（外郭）がフロントパネル３ａと、フロントケース３ｂと、リアケース３ｃとにより構成される。
表示部側筐体３には、メイン表示部２１と、サブ表示部２２と、通話の相手側の音声を出力する音声出力部２５とが外部に露出して配置される。
【００２５】
メイン表示部２１は、表示部側筐体３における表示部側内面３Ａに配置される。メイン表示部２１は、文字情報や画像情報等の各種情報を表示可能に構成される。メイン表示部２１は、携帯電話機１が開状態において、使用者により視認される表示部である。
【００２６】
サブ表示部２２は、表示部側筐体３における表示部側外面３Ｂに配置される。サブ表示部２２は、メイン表示部２１より表示領域が小さい表示部である。サブ表示部２２は、文字情報や画像情報等の各種情報を表示可能に構成される。サブ表示部２２は、携帯電話機１が閉状態において、使用者により視認される表示部である。
【００２７】
音声出力部２５は、表示部側筐体３における表示部側内面３Ａに配置される。音声出力部２５は、表示部側筐体３の長手方向における連結部４側と反対の外端部側に配置される。つまり、音声出力部２５は、携帯電話機１が開状態において他方の外端部側に配置される。
【００２８】
連結部４は、開閉ヒンジ機構を有して構成される。連結部４は、操作部側筐体２の上端部と表示部側筐体３の下端部との間に配置される。連結部４は、操作部側筐体２と表示部側筐体３とを互いに回動可能に連結する。詳細には、連結部４は、操作部側筐体２と表示部側筐体３とをヒンジ機構における回動軸Ｚを中心に回動可能に連結する。
ここで、本実施形態において、連結部４の回動軸Ｚ方向（第１方向）における一方側には、棒状の被取り付け部材３００が配置される。被取り付け部材３００は、回動軸Ｚ方向に延びるように配置される。
【００２９】
次いで、図２及び図３により、携帯電話機１を構成する基本的な部材について説明する。図２は、操作部側筐体２を構成する部材を説明する分解斜視図である。図３は、表示部側筐体３を構成する部材を説明する分解斜視図である。
【００３０】
図２に示すように、操作部側筐体２は、キー構造部４０と、フロントケース２ａと、キー基板５０と、ケース体６０と、回路基板７０と、アンテナ部９０と、第１防水用パッキン９５と、リアケース２ｂと、バッテリー８０と、バッテリーカバー２ｃ（蓋部）とを備える。
【００３１】
操作部側筐体２における外面（外郭）は、フロントケース２ａとリアケース２ｂとが互いの凹状の内側面が向き合うように配置され、互いの外周縁が重なり合うようにして結合されると共に、リアケース２ｂにバッテリーカバー２ｃが装着されることで形成される。
【００３２】
キー構造部４０は、フロントケース２ａの外面側に配置される。
キー基板５０と、ケース体６０と、回路基板７０と、アンテナ部９０と、第１防水用パッキン９５と、バッテリー８０とは、フロントケース２ａとリアケース２ｂとの間（操作部側筐体２の内部）に配置（内蔵）される。
【００３３】
フロントケース２ａには、キー開口部１４ａと、キー開口部１４ａの外縁に形成される載置部１４ｃとが形成される。
載置部１４ｃには、キー構造部４０が載置される。
キー開口部１４ａは、載置部１４ｃに載置されるキー構造部４０と、キー基板５０とが当接した状態で積層配置可能となるよう形成される。
【００３４】
キー構造部４０は、操作部材４０Ａと、キーシート４０Ｃとを有して構成される。
操作部材４０Ａは、複数のキー操作部材により構成される。具体的には、操作部材４０Ａは、機能設定操作キー部材１３ｂと、入力操作キー部材１４ｂと、決定操作キー部材１５ｂとにより構成される。
操作部材４０Ａを構成する各操作キー部材それぞれは、キーシート４０Ｃにおける所定箇所に接着される。キーシート４０Ｃに接着された各操作キー部材それぞれにおける押圧面は、外部に露出して配置される。
【００３５】
キーシート４０Ｃは、可撓性を有するシリコンゴム製のシート状部材である。キーシート４０Ｃには、複数の凸部が形成される。複数の凸部は、キーシート４０Ｃにおけるキーフレーム４０Ｂが配置される側の面に形成される。複数の凸部は、後述するキースイッチ５１、５２、５３それぞれに対応する位置に形成される。
【００３６】
キー基板５０は、キー構造部４０におけるキーシート４０Ｃ側の面である第１面５０ａに配置される複数のキースイッチ５１、５２、５３を有する。
複数のキースイッチ５１、５２、５３それぞれは、各操作部材４０Ａに対応する位置に配置される。キースイッチ５１、５２、５３は、椀状に湾曲して立体的に形成された金属板のメタルドームと、スイッチ端子（図示せず）とを有する。メタルドームは、その椀状形状の頂点が押圧されると、キー基板５０の表面に印刷された電気回路（図示せず）に形成されるスイッチ端子に接触して電気的に導通するように構成される。
【００３７】
ケース体６０は、薄型の略直方体形状であって一の広い面が開口した形状を有する導電性の部材である。
ケース体６０は、回路基板７０に対向して配置される平板部６１と、平板部６１における回路基板７０側の面に対して略垂直に形成されるリブ６２（壁部）を有する。リブ６２は、回路基板７０に実装される各種電子部品のうち最も高さのある電子部品の高さと同等又はそれよりも十分に高くなるよう形成される。リブ６２は、平板部６１の周縁及び内側に、基準電位部を構成する基準電位パターン層７５に対応するように形成される。
また、ケース体６０は、シールドケースとして機能する。ケース体６０は、外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出（伝播）されるノイズを遮蔽して、他の電子部品やアンテナに接続される受信回路等に作用することを抑制する。
なお、ケース体６０は、金属により形成されるほか、骨格が樹脂により形成され、その表面に導体膜が形成されたものでもよい。
【００３８】
回路基板７０は、平板状の基板部７１と、基板部７１における第１面７０ａ側に実装される電子部品及び各種回路ブロックと、基板部７１における第１面７０ａの表面に形成される基準電位パターン層７５（グランドパターン層）とを有する。
基板部７１に実装される電子は、例えば、アンテナ部９０が送受信する信号を処理する信号処理部を含む電子部品等が例示される。また、回路ブロックは、例えば、ＲＦ（Ｒａｄｉｏ  Ｆｒｅｑｕｅｎｃｙ）回路や電源回路が例示される。
基準電位パターン層７５は、基板部７１の外縁や、各回路ブロックを区画する箇所に形成される。基準電位パターン層７５は、例えば、回路基板７０における第１面７０ａの表面に導電性の部材を印刷することで形成される。
【００３９】
アンテナ部９０は、基台上に所定形状のアンテナエレメントが配置されることにより構成さる。アンテナ部９０は、携帯電話機１における連結部４側と反対の端部側に配置される。アンテナ部９０のアンテナエレメントは、帯状の板金により形成される。また、アンテナ部９０は、不図示の給電端子を介して回路基板７０から給電される。これにより、アンテナエレメントは、給電端子を介して回路基板７０から給電されると共に、回路基板７０のＲＦモジュール等と接続される。
【００４０】
第１防水用パッキン９５は、フロントケース２ａの外縁とリアケース２ｂの外縁とに挟まれて配置される。第１防水用パッキン９５は、環状であってフロントケース２ａ及びリアケース２ｂの外縁に対応した形状である。第１防水用パッキン９５は、シリコンゴム等の弾性材により構成される。
【００４１】
バッテリー８０は、リアケース２ｂに形成された後述する開口部２００を介して操作部側筐体２に収容配置される。
バッテリーカバー２ｃは、リアケース２ｂにおける外面側から開口部２００を覆うように配置される。
バッテリーカバー２ｃについては、後に詳述する。
【００４２】
操作部側筐体２には、上述した部材のほか、音声入力部１２を構成するマイク等の部材が内部に収容配置される。
【００４３】
図３に示すように、表示部側筐体３は、フロントパネル３ａと、メイン表示部２１と、フロントケース３ｂと、表示部側基板８６と、サブ表示部２２と、リアケース３ｃとを備える。
ここで、本実施形態において、一端が操作部側筐体２の内部に配置された回路基板７０に接続されるフレキシブルプリント基板１２０における他端が、表示部側基板８６に接続されるために後述する挿通用孔部１３０を介して表示部側筐体３の内部に挿入配置される。
【００４４】
表示部側筐体３における外面（外郭）は、フロントケース３ｂとリアケース３ｃとが互いの外周縁が重なり合うようにして結合されると共に、フロントケース３ｂにフロントパネル３ａが取り付けられることで形成される。
【００４５】
フロントパネル３ａは、平板状の光透過性部材である。フロントパネル３ａは、メイン表示部２１を保護すると共に、メイン表示部２１により表示された画像等を外部に透過させる部材である。
【００４６】
メイン表示部２１は、液晶パネルと、液晶パネルを駆動する駆動回路と、液晶パネルの背面側から光を照射するバックライト等の光源部とを含んで構成される。
メイン表示部２１は、フロントケース３ｂにおけるフロントパネル３ａ側に配置される。
【００４７】
フロントケース３ｂは、板金部材を樹脂インサート成型することにより形成されている。フロントケース３ｂを構成する板金部材は、フロントケース３ｂの強度を向上させると共に、シールド部材として機能する。
また、フロントケース３ｂには、連結部４側の側面に挿通用孔部１３０が形成される。上述したフレキシブルプリント基板１２０における一端側は、挿通用孔部１３０から挿入されて表示部側筐体３の内部に配置される。
また、挿通用孔部１３０は、フレキシブルプリント基板１２０に取り付けられた不図示の閉塞部材により、水が外部から内部空間内に侵入しないよう閉塞される。
【００４８】
表示部側基板８６は、平板状の部材であって、メイン表示部２１やサブ表示部２２等と電気的に接続される部材である。
本実施形態において、表示部側基板８６には、中央部にサブ表示部用開口部８６ａが形成される。サブ表示部用開口部８６ａには、サブ表示部２２が（挿通）配置される。
また、本実施形態において、表示部側基板８６には、カメラモジュールが実装される。
【００４９】
サブ表示部２２は、フロントケース３ｂにおけるリアケース３ｃ側に積層配置される。
サブ表示部２２は、液晶パネルと、液晶パネルを駆動する駆動回路と、液晶パネルの背面側から光を照射するバックライト等の光源部とを含んで構成される。
サブ表示部２２は、表示領域がメイン表示部２１の表示領域より小さい表示部である。
サブ表示部２２は、表示部側筐体３の厚さ方向において、表示領域がメイン表示部２１の表示領域と反対側を向いて配置される。
【００５０】
リアケース３ｃは、フロントケース３ｂと共に表示部側基板８６やサブ表示部２２を収容する。
表示部側筐体３には、上述した部材のほか、音声出力部２５等の部材が内部に収容配置される。
【００５１】
続けて、図４から図１２により、バッテリーカバー２ｃと操作部側筐体２とにより構成される防水構造について説明する。
図４は、防水構造を説明する断面図である。図５は、防水構造を説明する断面図である。図６は、バッテリーカバー２ｃの部分拡大図である。図４は、防水構造を説明する部分断面図である。図５は、防水構造を説明する部分断面図である。図９は、操作部側筐体２にバッテリーカバー２ｃを取り付ける手順を説明する図である。図１０は、操作部側筐体２にバッテリーカバー２ｃを取り付ける手順を説明する図である。図１１は、操作部側筐体２にバッテリーカバー２ｃを取り付ける手順を説明する図である。図１２は、操作部側筐体２にバッテリーカバー２ｃを取り付ける手順を説明する図である。
【００５２】
まず、図４から図８により、バッテリーカバー２ｃと操作部側筐体２とにより構成される防水構造における構成について説明する。
図４及び図５に示すように、操作部側筐体２は、開口部２００と、開口部２００に連続して形成される凹部２１０と、バッテリーカバー２ｃ（蓋部）とを有する。また、操作部側筐体２は、バッテリーカバー２ｃが係止される第１被係止部２７０及び第２被係止部２１５を有する。
【００５３】
開口部２００は、操作部側筐体２における操作部側外面２Ｂ側に形成される。
開口部２００は、バッテリーカバー２ｃにより覆われた状態と、覆われない状態とに状態変更可能に構成される。
バッテリーカバー２ｃにより覆われていない状態において、ユーザは、開口部２００を介してバッテリー８０を着脱する。
【００５４】
凹部２１０は、開口部２００に連続して形成され、操作部側筐体２における厚さ方向に窪んで形成される。凹部２１０は、後述する嵌入突部２３０が嵌入する部分である。
凹部２１０は、バッテリー８０を収容するバッテリー収容部を含む。
凹部２１０は、後述するように、嵌入突部２３０とともに内部空間Ｍを形成する部分である。
凹部２１０の外縁は、環状壁部２１１により構成される。
【００５５】
環状壁部２１１は、厚さ方向において操作部側外面２Ｂ側に突出して形成される壁部である。環状壁部２１１は、操作部側外面２Ｂ側からみた場合において、環状に形成される。環状壁部２１１は、内面２１２（内縁部）により、凹部２１０を形成する。
【００５６】
内面２１２は、先端部側（バッテリーカバー２ｃ側）に形成される規制部２１３を有する。
規制部２１３は、第１規制面２１３ａと、第２規制面２１３ｂとを有する。
第１規制面２１３ａは、環状壁部２１１における先端側に形成され、操作部側筐体２の厚さ方向にのびるように形成される面である。
第２規制面２１３ｂは、環状壁部２１１における根元側に形成され、操作部側筐体２の厚さ方向に交差する方向にのびるように形成される面である。
【００５７】
凹部２１０における規制部２１３（内縁部）は、バッテリーカバー２ｃが閉状態において、後述する第２防水用パッキン２４０（パッキン部材）を後述する塞位置に位置決めする。
【００５８】
具体的には、規制部２１３は、バッテリーカバー２ｃが開状態から閉状態に状態変化する際において、第２防水用パッキン２４０を後述する非塞位置から塞位置に移動させると共に、バッテリーカバー２ｃが閉状態において、後述する第２防水用パッキン２４０を後述する塞位置に位置決めする。
【００５９】
詳細には、規制部２１３における第１規制面２１３ａは、バッテリーカバー２ｃが開状態から閉状態に状態変化する際において、外側に当接しながら第２防水用パッキン２４０を後述する非塞位置から塞位置に移動させる。そして、バッテリーカバー２ｃが閉状態において、規制部２１３における第１規制面２１３ａが塞位置にある第２防水用パッキン２４０を貫通孔部２５０（外側開口２５０ａ）に押圧するように配置されると共に、第２規制面２１３ｂが第２防水用パッキン２４０の操作部側筐体２における厚さ方向への移動を規制するように配置される。このようにして、規制部２１３は、バッテリーカバー２ｃが閉状態において、後述する第２防水用パッキン２４０（パッキン部材）を塞位置に位置決めする。
【００６０】
バッテリーカバー２ｃは、開口部２００を覆う閉状態と、開口部２００を覆わない開状態とに状態変更可能な蓋部である。バッテリーカバー２ｃは、操作部側筐体２における長手方向（所定方向）の一端側を回動軸として回動移動することで、開状態と閉状態とに状態変更される。具体的には、バッテリーカバー２ｃは、後述する第１係止部２８０側の端部を回動軸として回動移動することで、閉状態と開状態とに状態変更される（図１０から図１２参照）。
【００６１】
バッテリーカバー２ｃは、開状態において、開口部２００及び凹部２１０を外部に露出させる。また、バッテリーカバー２ｃは、閉状態において、開口部２００を覆うと共に、凹部２１０を密閉する。バッテリーカバー２ｃ（嵌入突部２３０）は、凹部２１０とともに内部空間Ｍを形成する。
【００６２】
バッテリーカバー２ｃは、板状部２２０と、嵌入突部２３０と、第２防水用パッキン（パッキン部材）と、貫通孔部２５０と、第１係止部２８０と、第２係止部２８５とを有する。
【００６３】
板状部２２０は、閉状態において、開口部２００を覆う板状の部分である。板状部２２０は、閉状態において、リアケース２ｂとともに操作部側筐体２における操作部側外面２Ｂを形成する。
また、板状部２２０における凹部２１０側の面には、嵌入突部２３０と、第１係止部２８０と、第２係止部２８５とが形成される。
【００６４】
嵌入突部２３０は、板状部２２０における凹部２１０側に突出して形成され、凹部２１０に嵌入可能な部分である。具体的には、嵌入突部２３０は、外周に配置された第２防水用パッキン２４０とともに凹部２１０に嵌入可能な部分である。
嵌入突部２３０の外周面（外周）には、第２防水用パッキン２４０が弾性力を有した状態で、該嵌入突部２３０の高さ方向に移動可能に配置される。嵌入突部２３０は、凹部２１０側の端部に第２防水用パッキン２４０の抜け止め用に形成される抜け止め部２３５を有する。
【００６５】
嵌入突部２３０は、板状部２２０における凹部２１０側に突出して形成される壁部である。嵌入突部２３０は、凹部２１０側に形成される第１部２３１と、板状部２２０側に形成される第２部２３２とを有する。
第２部２３２は、第１部２３１よりも外周の長さが長い部分である。
また、第２部２３２は、凹部２１０側に向かうにしたがって外周の長さが狭くなるように傾斜する傾斜外周面２３２ａを有する。
【００６６】
ここで、第２部２３２には、貫通孔部２５０に形成される。本実施形態において、第２部２３２における傾斜外周面２３２ａには、貫通孔部２５０における外部空間側の外側開口２５０ａが形成される。
【００６７】
上述の通り、嵌入突部２３０における外周面には、第２防水用パッキン２４０が配置される。詳細には、第１部２３１には、バッテリーカバー２ｃが開状態である場合において第２防水用パッキン２４０が配置され、第２部２３２には、バッテリーカバー２ｃが閉状態である場合において第２防水用パッキン２４０が配置される。
【００６８】
嵌入突部２３０は、凹部２１０の内面２１２（内縁部）に対応した環状に形成される。ここで、本実施形態において、内面２１２に対応した環状とは、第２防水用パッキン２４０も想定した形成であって、例えば、凹部２１０の内面２１２（内縁部）よりも一回り小さい相似の環状である。
【００６９】
また、嵌入突部２３０は、凹部２１０とともに内部空間Ｍを形成する。具体的には、凹部２１０とともに、バッテリーカバー２ｃが開状態から閉状態になる直前の状態（図１１参照）から閉状態（図５及び図１２参照）において形成される内部空間Ｍを形成する。この内部空間Ｍは、第２防水用パッキン２４０が非塞位置に位置した場合には密閉されず、塞ぐ位置に位置した場合には密閉される。
【００７０】
第２防水用パッキン２４０（パッキン部材）は、上述の通り、嵌入突部２３０の外周面（外周）に配置され、嵌入突部２３０とともに凹部２１０に圧入可能な部材である。第２防水用パッキン２４０は、バッテリーカバー２ｃが閉状態において、貫通孔部２５０を塞いで内部空間Ｍを密閉する。
【００７１】
また、第２防水用パッキン２４０は、嵌入突部２３０の外周に弾性力を有した状態で、該嵌入突部２３０の高さ方向に移動可能に配置される。
第２防水用パッキン２４０は、環状であって、自然状態において内周の長さが嵌入突部２３０の外周の長さよりも短い弾性部材である。第２防水用パッキン２４０は、シリコンゴム等のゴムや、所定のエラストマー材料により構成される。
【００７２】
また、第２防水用パッキン２４０は、内部空間Ｍと外部空間とを連通させないよう貫通孔部２５０における外部空間側の外側開口２５０ａを塞ぐ塞位置（図８参照）と、内部空間Ｍと外部空間とを連通させるよう貫通孔部２５０における外部空間側の外側開口２５０ａを塞がない非塞位置（図７参照）と、に移動可能に嵌入突部２３０の外周に配置される。
【００７３】
第２防水用パッキン２４０は、バッテリーカバー２ｃが開状態において、非塞位置に位置する。第２防水用パッキン２４０は、規制部２１３により移動が規制されていない状態において、外周の短い第１部２３１側に配置される。第２防水用パッキン２４０は、弾性力を有した状態であるので、規制部２１３により移動が規制されていない状態において、外周の長さが長く外面が傾斜している第２部２３２（傾斜外周面２３２ａ）側には配置されず、外周の長さが短い第１部２３１側に配置される。第２防水用パッキン２４０は、弾性力を有しており内径が小さくなるように変形するので、第２部２３２（傾斜外周面２３２ａ）に配置された場合でも自動的に第１部２３１側に移動する。
【００７４】
また、第２防水用パッキン２４０は、バッテリーカバー２ｃが閉状態において、塞位置に位置する。第２防水用パッキン２４０は、バッテリーカバー２ｃが閉状態において、塞位置に位置して貫通孔部２５０を塞いで、内部空間Ｍを密閉する。
第２防水用パッキン２４０は、バッテリーカバー２ｃが閉状態において、上述の通り、規制部２１３により塞位置に位置決めされる。
【００７５】
具体的には、第２防水用パッキン２４０は、バッテリーカバー２ｃが開状態から閉状態に状態変化する際において、規制部２１３により非塞位置から塞位置に移動されると共に、バッテリーカバー２ｃが閉状態において、塞位置に位置決めされる。
【００７６】
詳細には、第２防水用パッキン２４０は、規制部２１３における第１規制面２１３ａにより、バッテリーカバー２ｃが開状態から閉状態に状態変化する際において、外側に当接されながら後述する非塞位置から塞位置に移動される。そして、バッテリーカバー２ｃが閉状態において、塞位置にある第２防水用パッキン２４０は、規制部２１３における第１規制面２１３ａにより貫通孔部２５０（外側開口２５０ａ）に押圧されるように配置されると共に、第２規制面２１３ｂにより操作部側筐体２における厚さ方向への移動が規制されるように配置される。このようにして、第２防水用パッキン２４０は、バッテリーカバー２ｃが閉状態において、後述する規制部２１３により塞位置に位置決めされる。
【００７７】
ここで、第２防水用パッキン２４０は、バッテリーカバー２ｃが閉状態になる直前まで、非塞位置に配置される。
第２防水用パッキン２４０は、規制部２１３により塞位置に移動されないかぎり非塞位置に配置されるので、バッテリーカバー２ｃが閉状態になる直前まで非塞位置に配置される。
つまり、第２防水用パッキン２４０は、バッテリーカバー２ｃが閉状態になる直前まで、内部空間Ｍを密閉しない。
【００７８】
貫通孔部２５０は、嵌入突部２３０に形成される。貫通孔部２５０は、嵌入突部２３０と凹部２１０とにより形成される内部空間Ｍと外部空間とを連通させる。
【００７９】
貫通孔部２５０は、操作部側筐体２（携帯電話機１）の長手方向において、第１係止部２８０側の端部と反対側の端部に形成される。貫通孔部２５０は、バッテリーカバー２ｃを操作部側筐体２に取り付ける際の回動移動における回動軸側（一端側）と反対の端部側に形成される（図１０から図１２参照）。つまり、貫通孔部２５０は、操作部側筐体２の長手方向（所定方向）における反対側の端部側（他端側）に形成される。貫通孔部２５０は、嵌入突部２３０において最後まで凹部２１０に嵌入されない部分に形成される。
【００８０】
貫通孔部２５０は、外部空間側に形成される外側開口２５０ａと、内部空間Ｍ側に形成される内側開口２５０ｂとを有する。
貫通孔部２５０は、上述の通り、嵌入突部２３０における第２部２３２に形成される。
そして、外側開口２５０ａは、傾斜外周面２３２ａに形成される。
【００８１】
貫通孔部２５０は、第２防水用パッキン２４０が非塞位置に位置する場合には閉塞されず、第２防水用パッキン２４０が塞位置に位置する場合には閉塞される。
貫通孔部２５０は、第２防水用パッキン２４０が非塞位置に位置する場合には内部空間Ｍと外部空間とを連通させ、第２防水用パッキン２４０が塞位置に位置する場合には内部空間Ｍと外部空間とを連通させない。
貫通孔部２５０は、外側開口２５０ａが第２防水用パッキン２４０により塞がれることで閉塞され、内部空間Ｍを密閉する。
【００８２】
第１係止部２８０は、バッテリーカバー２ｃにおける一端側に形成される。第１係止部２８０は、第１被係止部２７０に係止される。第１係止部２８０は、バッテリーカバー２ｃが操作部側筐体２に取り付けられる際において、バッテリーカバー２ｃの回動軸側に形成される。
また、第２係止部２８５は、バッテリーカバー２ｃにおける他端側に形成される。第２係止部２８５は、第２被係止部２１５に係止される。
バッテリーカバー２ｃは、第１係止部２８０が第１被係止部２７０に係止されると共に、第２係止部２８５が第２被係止部２１５に係止された場合、閉状態で維持される。
【００８３】
続けて、図９から図１２により、バッテリーカバー２ｃと操作部側筐体２とにより構成される防水構造を形成する手順について説明する。
まず、ユーザは、図９に示す状態におけるバッテリーカバー２ｃの第１係止部２８０側端部を、図１０に示すように矢印Ｄ１方向に移動させる。
次いで、ユーザは、図１０に示すように、第１係止部２８０を第１被係止部２７０に係止させる。
【００８４】
続けて、ユーザは、図１１に示すように、バッテリーカバー２ｃにおける第２係止部２８５側の端部を矢印Ｄ２方向に移動させる。言い換えると、ユーザは、第１係止部２８０側の端部を回動軸として、バッテリーカバー２ｃを回動移動させる。
【００８５】
ここで、図１１に示す状態は、バッテリーカバー２ｃが閉状態になる直前の状態である。この状態において、凹部２１０と嵌入突部２３０とにより、内部空間Ｍが形成される。
ただし、この状態において、第２防水用パッキン２４０は、塞位置に位置していないので、貫通孔部２５０は完全に閉塞されていない。つまり、この状態において、内部空間Ｍは密閉されていないので、バッテリーカバー２ｃを閉状態にするために回動移動させることで内部空間Ｍの体積が小さくなっていく場合でも、内部空間Ｍ内の空気は圧縮されず（高圧力状態にならず）、貫通孔部２５０を通って外部空間に抜ける。
つまり、この状態において、内部空間Ｍは形成されるが、貫通孔部２５０は密閉されていないので、内部空間Ｍの圧力が増加した場合でも、内部空間Ｍの空気は、貫通孔部２５０から外部空間に抜ける。これにより、携帯電話機１は、内部空間Ｍが高圧力状態になることを抑制できる。
【００８６】
続けて、図１２に示すように、ユーザは、バッテリーカバー２ｃにおける第２係止部２８５側の端部を矢印Ｄ３方向に更に移動させる。そして、ユーザは、第２係止部２８５を第２被係止部２１５に係止させる。ユーザは、バッテリーカバー２ｃを閉状態にする。
【００８７】
バッテリーカバー２ｃが閉状態に状態変更されることで、第２防水用パッキン２４０は、塞位置に配置される（図８参照）。
具体的には、バッテリーカバー２ｃが矢印Ｄ３方向に移動されて閉状態に状態変更された場合、第２防水用パッキン２４０は、規制部２１３により非塞位置（第１部２３１の外周）から塞位置（第２部２３２の外周であって外側開口２５０ａを塞ぐ位置）に移動される。第２防水用パッキン２４０は、バッテリーカバー２ｃが閉状態の場合、規制部２１３により塞位置において位置決めされる。
そして、第２防水用パッキン２４０は、貫通孔部２５０を閉塞させて、内部空間Ｍを密閉する。
本実施形態において、携帯電話機１は、図１１に示す状態において内部空間Ｍから空気が抜けるように構成されるので、外部空間との圧力差がない状態で内部空間Ｍが密閉される。
【００８８】
本実施形態によれば、操作部側筐体２（筐体）内の圧力が高くなることによる操作部側筐体２の変形や、内蔵された電子部品の破損や劣化を抑制できる携帯電話機１（電子機器）を提供することができる。
【００８９】
また、本実施形態によれば、第２防水用パッキン２４０が塞位置と非塞位置とに移動可能に構成されるので、バッテリーカバー２ｃを開状態から閉状態に状態変更させる際に、内部空間Ｍから外部空間に空気を抜くことができると共に、バッテリーカバー２ｃが閉状態に状態変更された後には貫通孔部２５０を閉塞させて内部空間Ｍを密閉することができる。これにより、携帯電話機１は、内部空間Ｍが高圧状態になることを抑制できると共に、好適な防水性を奏する。
【００９０】
また、本実施形態によれば、バッテリーカバー２ｃが閉状態において、第２防水用パッキン２４０は、塞位置に位置する。これにより、携帯電話機１は、バッテリーカバー２ｃが閉状態において、好適な防水性を有する。
また、本実施形態によれば、バッテリーカバー２ｃが開状態において、第２防水用パッキン２４０は、非塞位置に位置する。これにより、携帯電話機１は、バッテリーカバー２ｃが開状態において、内部空間Ｍの空気を貫通孔部２５０を介して外部空間に抜くことができる。言い換えると、携帯電話機１は、バッテリーカバー２ｃが閉状態になるまでは、内部空間Ｍから空気を抜くことができ、該内部空間Ｍが高圧状態なることを抑制できる。
【００９１】
また、本実施形態において、バッテリーカバー２ｃは、操作部側筐体２の長手方向（所定方向）における一端側を回動軸として回動移動することで、開状態と閉状態とに状態変更される。このようなタイプのバッテリーカバー２ｃが回動移動されて閉状態になる場合、操作部側筐体２内に多くの空気が入るため、本実施形態における効果がより期待出来る。
【００９２】
また、本実施形態において、貫通孔部２５０は、操作部側筐体２の長手方向（所定方向）における他端側に形成される。貫通孔部２５０は、嵌入突部２３０におけるバッテリーカバー２ｃを開状態から閉状態に状態変化させる際（回動移動させる際）、最後まで凹部２１０に嵌入しない部分に形成される。これにより、携帯電話機１は、バッテリーカバー２ｃが閉状態になる直前まで内部空間Ｍ内の空気を外部空間に抜くことができる。
【００９３】
また、本実施形態において、嵌入突部２３０は、凹部２１０側に形成される第１部２３１と、板状部２２０側に形成され第１部２３１よりも外周の長さが長い第２部２３２と、を有する。そして、貫通孔部２５０は、第２部２３２に形成される。
ここで、第２防水用パッキン２４０が弾性力（収縮力）を有した状態で嵌入突部２３０の外周に配置されるので、バッテリーカバー２ｃが開状態の場合、第２防水用パッキン２４０は、外周の短い第１部２３１側に位置（移動）する。これにより、携帯電話機１は、バッテリーカバー２ｃが開状態の場合、第２防水用パッキン２４０を非塞位置に位置させることができるので、貫通孔部２５０が閉塞されない状態を確実に維持できる。つまり、内部空間Ｍの空気を確実に外部空間に抜くことができる。
【００９４】
また、本実施形態において、第２部２３２は、凹部２１０側に向かうにしたがって外周の長さが狭くなるように傾斜する傾斜外周面２３２ａを有すると共に、貫通孔部２５０における外部空間側の外側開口２５０ａは、傾斜外周面２３２ａに形成される。これより、バッテリーカバー２ｃが開状態の場合、第２防水用パッキン２４０は、より外周の短い第１部２３１側に位置（移動）する。
また、本実施形態において、第１部２３１が外周の長さが同じである垂直面を有するので、バッテリーカバー２ｃが開状態の場合、第２防水用パッキン２４０は、外周の短い第１部２３１側で維持される。
【００９５】
また、本実施形態において、凹部２１０における規制部２１３（内縁部）は、バッテリーカバー２ｃが閉状態において、第２防水用パッキン２４０を塞位置に位置決めする。これにより、携帯電話機１は、バッテリーカバー２ｃが閉状態の場合、第２防水用パッキン２４０を塞位置に位置決めして、確実に内部空間Ｍを密閉する。
これにより、バッテリーカバー２ｃが開状態の場合、第２防水用パッキン２４０を非塞位置に位置させることができるので、貫通孔部２５０が閉塞されない状態を確実に維持できる。つまり、内部空間Ｍの空気を確実に外部空間に抜くことができる。
【００９６】
また、本実施形態において、携帯電話機１は、内部空間Ｍの内部が高圧状態になることを抑制するので、スピーカやマイク等の電子部品を内圧から守るための部材（例えば、スポンジ等）を用いる必要がない。また、携帯電話機１は、外部露出した位置に空気穴を設ける必要が無いため、防水ゴアシート等の部材を必要としない。
これらにより、携帯電話機１は、部品減やコスト抑制が達成される。
【００９７】
また、本実施形態において、携帯電話機１は、外部に露出した位置に空気穴を設ける必要が無いため、外観的な制約を受けることがない。これにより、携帯電話機１は、デザイン性が向上されると共に、デザインにおける自由度が向上される。
【００９８】
また、本実施形態において、携帯電話機１は、キーシート４０Ｃが極端に盛りあがるような操作部側筐体２の変形を抑制できる。これにより、ユーザが故障と誤解することを抑制できる。
【００９９】
以上、好適な実施形態について説明したが、本発明は上述した実施形態に限定されることなく種々の形態で実施することができる。例えば、本実施形態において、電子機器として携帯電話機１について説明しているが、これに限定されず、携帯電子機器は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１００】
また、本実施形態において、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【０１０１】
また、本実施形態において、第２防水用パッキン２４０は、嵌入突部２３０外周における全部に配置されているが、これに限定されず、嵌入突部２３０の外周における一部に配置されていてもよい。第２防水用パッキン２４０は、貫通孔部２５０の外側開口２５０ａを塞ぐ位置と塞がない位置とに移動可能であれば、嵌入突部２３０における外周の全部ではなく一部に配置されていてもよい。
【０１０２】
また、本実施形態において、第２防水用パッキン２４０は、嵌入突部２３０外周における全部において移動可能となるよう配置されているが、これに限定されず、嵌入突部２３０の外周における一部において移動可能であればよい。
例えば、第２防水用パッキン２４０は、貫通孔部２５０側の部分は嵌入突部２３０における高さ方向に移動可能に配置され、他の部分は溝部等に嵌合されて嵌入突部２３０における高さ方向への移動が規制された状態で配置されてもよい。
【０１０３】
また、本実施形態において、第２部２３２は、第１部２３１に連続して形成されるが、これに限定されず、中間部を挟んで形成されてもよい。また、この場合、中間部が傾斜外周面を有し、第２部が垂直な側面を有していてもよい。
【符号の説明】
【０１０４】
１          携帯電話機
２          操作部側筐体（筐体）
２ｃ        バッテリーカバー（蓋部）
３          表示部側筐体
２００      開口部
２１０      凹部
２１２      内面（内縁部）
２２０      板状部
２３０      嵌入突部
２４０      第２防水用パッキン（パッキン部材）
２５０      貫通孔部
Ｍ          内部空間
【図１】
0005686613.tif 000002
【図２】
0005686613.tif 000003
【図３】
0005686613.tif 000004
【図４】
0005686613.tif 000005
【図５】
0005686613.tif 000006
【図６】
0005686613.tif 000007
【図７】
0005686613.tif 000008
【図８】
0005686613.tif 000009
【図９】
0005686613.tif 000010
【図１０】
0005686613.tif 000011
【図１１】
0005686613.tif 000012
【図１２】
0005686613.tif 000013